(57)【要約】【課題】必要に応じて容易に取り外し可能、かつ、構造が単純にでき、施工および交換が容易で、取付位置の自由度が高い戸当りを提供すること。【解決手段】戸当り１０を固定部材１１および戸当り本体２０から構成し、床１または壁２に固定した固定部材１１に戸当り本体２０を着脱自在に取り付け可能としたことにより、掃除の際に必要に応じて容易に取り外すことができる。また、固定部材１１および戸当り本体２０に、互いに係合する係合凸部１２および係合凹部２２を設けるだけの単純な構造としたことにより、床１に孔や凹みを設ける必要がなく、取付施工や交換の作業が容易にできるとともに、係合凸部１２や係合凹部２２の寸法を大きくしなくても係合状態を維持できるので、固定部材１１が邪魔にならず、取付位置の自由度を高くできる。【選択図】　図１
2004084366.tif 000002
【特許請求の範囲】
【請求項１】
床または壁に固定される固定部材と、この固定部材に着脱自在に取り付けられる戸当り本体とを備え、
前記固定部材および前記戸当り本体のいずれか一方には、他方に設けられた係合凹部に係合する係合凸部が設けられ、
前記係合凸部は、前記係合凹部に向かって突出する突出部と、この突出部の先端側に設けられ当該突出部の突出方向と交差する方向に延出する突片とを有し、
前記係合凸部および前記係合凹部を互いに所定方向にずらして、前記突片が当該係合凹部を係止することで、前記固定部材が固定された床または壁から離れる方向への前記戸当り本体の移動が規制される戸当り。
【請求項２】
前記突出部の先端には、前記突片を当該突出部の全周に渡って設けた頭部が形成され、
前記係合凹部は、前記突出部が挿通可能で、かつ前記頭部が挿通不能な孔径を有した小孔部と、前記頭部が挿通可能な孔径を有した大孔部とが連続して形成された係合孔であり、
前記大孔部に挿通された前記突出部および前記頭部を前記小孔部の方向にずらすことで、当該頭部が当該小孔部の縁を係止する請求項１に記載の戸当り。
【請求項３】
前記係合凸部が設けられる前記固定部材または前記戸当り本体は、少なくとも一部が板状部材から構成されており、
前記係合凸部の突出部および突片は、前記板状部材の一部を切り起こして曲げ加工により形成され、
前記係合凹部は、前記突出部および突片が挿通可能な孔径を有した係合孔であり、
前記突出部および突片を前記係合孔に挿通し、当該突片の延出方向にずらすことで、当該突片の先端側が前記係合孔の縁を係止する請求項１に記載の戸当り。
【請求項４】
前記戸当り本体と前記固定部材とを圧着させる弾性部を備えた請求項１ないし請求項３のいずれかに記載の戸当り。
【請求項５】
前記係合凸部が前記固定部材に設けられ、前記係合凹部が前記戸当り本体に設けられた請求項１ないし請求項４のいずれかに記載の戸当り。
【発明の詳細な説明】
【０００１】
【発明の属する技術分野】
本発明は、扉の開動作の範囲を制限する戸当りに関する。
【０００２】
【背景技術】
扉の開き過ぎにより、扉に付属するハンドルやドアノブ等の突出物が壁や窓等に当たって、これらが損傷を受けたり、扉を支持する蝶番が変形や破損してしまうことを防止するために、扉の開動作の範囲を制限するための戸当りが知られている。
従来、このような戸当りは、床や壁に固定され、開けた扉に当接することで、この当接する位置を超えて扉が開かないようにするものである。通常、戸当りの扉に当接する部分には、当接時の衝撃を緩和するためにゴムや合成樹脂製の緩衝材が設けられている。また、戸当りおよび戸当りと当接する扉の互いに対向する位置には、フックおよびリングが設けられており、これらのフックおよびリングの係合によって、扉を開放状態位置に維持できるようになっている。
【０００３】
しかし、上述の床や壁に固定される戸当りは、床や壁から突出して設けられているため、掃除の際に邪魔になるという不都合がある。特に、掃除機を用いて掃除する場合には、通常使用される幅広のノズルでは戸当りにぶつかってしまい、その周辺がきれいにできないため、隙間用の細いノズルに付け換える必要があり掃除に手間が掛かってしまう。
このような不都合の解消を目的に考案された戸当りとして、実開平６−１６７７号公報に開示された戸当り（従来例１）、および特開平１０−３３９０６７号公報に開示された戸当り（従来例２）が提案されている。
【０００４】
従来例１の戸当りは、床面下に収納可能に構成されたものであって、床内に埋め込まれた筒体と、この筒体内に収納および床面から突出可能に取り付けられた戸当り部と、この戸当り部を上方に付勢するコイルスプリングとを備えている。さらに、この戸当りは、筒体内に戸当り部を収納した収納状態を維持し、また、収納状態を解除するための機構を備えている。
従って、従来例１の戸当りでは、戸当り部を筒体内に収納することにより、床面から突出する部分がなくなるので、床面を掃除しやすくできるとともに、戸当り部の収納状態を解除して床面から突出させることで、戸当りとして機能させることができる。
【０００５】
従来例２の戸当りは、戸当り部材と固定部材とを備えたものであって、固定部材が床面および壁面に固定され、この固定部材に対して戸当り部材が着脱自在に取り付けできるように構成されたものである。すなわち、固定部材は、板材を折り曲げてＬ字形に形成され、床面および壁面の交差部にビス止め固定され、戸当り部材は、凹部を有して形成されており、戸当り部材の凹部を固定部材に嵌合することで、戸当り部材が着脱自在に取り付けられる。そして、扉が戸当り部材に当接する際の荷重が固定部材の壁面に沿った立ち上がり部分および壁によって支持される構造となっている。
従って、従来例２の戸当りでは、戸当り部材を着脱自在に固定部材に取り付けできることにより、掃除の際には戸当り部材を固定部材から外すことで、戸当りが邪魔にならず掃除しやすくできる。
【０００６】
【発明が解決しようとする課題】
しかしながら、従来例１の戸当りでは、筒体やコイルスプリング、収納および解除機構等の部品点数が多く、構造が複雑になってしまい製造コストが高くなるという問題がある。さらに、筒体を床内に埋め込む必要があるため、床に孔や凹みを形成しなければならず、戸当りの取付施工に手間が掛かり、取り付け後の交換も困難であるという問題がある。
また、従来例２の戸当りでは、Ｌ字形の固定部材を床面および壁面の交差部に固定することで扉が当接する荷重を支持しているため、壁面から離して設置する場合には、固定部材の立ち上がり部分のみで荷重を支持できるだけの部材寸法が必要になる。すなわち、戸当り部材が転倒しないためには、固定部材の立ち上がり部分が戸当り部材と同程度の高さ寸法を備える必要があるので、戸当り部材を外しても固定部材の立ち上がり部分が床面から突出してしまうことになる。従って、従来例２の戸当りを壁面から離して設置すると、掃除の際に邪魔にならないという上述の効果を得ることができず、取付位置が限定されてしまうという問題がある。
【０００７】
本発明の目的は、必要に応じて容易に取り外し可能、かつ、構造が単純にでき、施工および交換が容易で、取付位置の自由度が高い戸当りを提供することにある。
【０００８】
【課題を解決するための手段】
本発明の戸当りは、床または壁に固定される固定部材と、この固定部材に着脱自在に取り付けられる戸当り本体とを備え、前記固定部材および前記戸当り本体のいずれか一方には、他方に設けられた係合凹部に係合する係合凸部が設けられ、前記係合凸部は、前記係合凹部に向かって突出する突出部と、この突出部の先端側に設けられ当該突出部の突出方向と交差する方向に延出する突片とを有し、前記係合凸部および前記係合凹部を互いに所定方向にずらして、前記突片が当該係合凹部を係止することで、前記固定部材が固定された床または壁から離れる方向への前記戸当り本体の移動が規制されることを特徴とする。
【０００９】
なお、ここで、係合凸部および係合凹部を互いにずらす「所定方向」とは、戸当り本体に扉が当接した際に作用する力や、戸当り本体の自重等の作用荷重によって、戸当り本体が容易に固定部材から外れてしまうことのない方向を意味する。すなわち、係合凸部および係合凹部を互いにずらして係合させる方向と逆向きの荷重が作用しないように、適宜ずらす方向を設定できる。また、「所定方向」は、直線に沿った一方向や、途中に折れ曲がり部分を含んだ二方向以上の方向、円弧等の曲線に沿った回転方向でもよい。
【００１０】
このような本発明によれば、戸当りを固定部材および戸当り本体から構成し、床または壁に固定した固定部材に戸当り本体を着脱自在に取り付け可能としたことにより、掃除の際に必要に応じて容易に取り外すことができる。
また、固定部材および戸当り本体に、互いに係合する係合凸部および係合凹部を設けるだけの単純な構造としたことにより、床に孔や凹みを設ける必要がなく、取付施工や交換の作業が容易にできる。
さらに、係合凸部の突片が係合凹部を係止することにより、係合凸部や係合凹部の寸法を大きくしなくても係合状態を維持でき、固定部材の寸法を小さくできるので邪魔にならず、固定部材を床または壁の任意の位置に取り付けられ、取付位置の自由度が高くできる。また、戸当り本体が固定部材から不用意に外れることがないので、戸当りとしての機能が損なわれることなく、扉の開き過ぎを防止できる。
【００１１】
また、本発明の戸当りでは、前記突出部の先端には、前記突片を当該突出部の全周に渡って設けた頭部が形成され、前記係合凹部は、前記突出部が挿通可能で、かつ前記頭部が挿通不能な孔径を有した小孔部と、前記頭部が挿通可能な孔径を有した大孔部とが連続して形成された係合孔であり、前記大孔部に挿通された前記突出部および前記頭部を前記小孔部の方向にずらすことで、当該頭部が当該小孔部の縁を係止することを特徴とする。
このような構成では、突出部の先端全周に渡って設けた突片で形成された頭部を有する係合凸部と、大孔部および小孔部が連続形成された係合孔とが係合することにより、係合凸部として例えば、頭付きのピン等を採用することで、より簡単に係合凸部を形成できるとともに、係合孔の小孔部の縁を頭部が係止することで、小孔部から大孔部へ向かう以外の方向への移動が規制され、戸当り本体をより確実に取り付けることができる。すなわち、扉が当接する時の力や自重等の外力が作用する方向に対して、係合孔の大孔部および小孔部を適切に配置することで、戸当り本体が固定部材から不用意に外れないようにできる。
【００１２】
また、本発明の戸当りでは、前記係合凸部が設けられる前記固定部材または前記戸当り本体は、少なくとも一部が板状部材から構成されており、前記係合凸部の突出部および突片は、前記板状部材の一部を切り起こして曲げ加工により形成され、前記係合凹部は、前記突出部および突片が挿通可能な孔径を有した係合孔であり、前記突出部および突片を前記係合孔に挿通し、当該突片の延出方向にずらすことで、当該突片の先端側が前記係合孔の縁を係止することを特徴とする構成が採用できる。
このような構成では、固定部材または戸当り本体を構成する板状部材の一部を切り起こして曲げ加工により係合凸部を形成することで、係合凸部を構成するために別部材を用意する必要がなく、部品点数の削減を図ることができる。また、係合孔の縁を突片の先端側が係止することで、戸当り本体の移動が規制され、取り付け状態を確実に維持できる。
【００１３】
さらに、本発明の戸当りでは、前記戸当り本体と前記固定部材とを圧着させる弾性部を備えたことを特徴とする。
なお、ここで弾性部とは、戸当り本体や固定部材に取り付けられる別部材としての弾性部材であってもよく、また、戸当り本体や固定部材の一部を加工して形成したものでもよい。
このような構成では、戸当り本体と固定部材とを圧着させる弾性部を備えることにより、戸当り本体を固定部材に密着して取り付けることができ、戸当り本体と固定部材とのがたつきやずれを防止して、両者の取付状態を良好に維持できる。
【００１４】
また、本発明の戸当りでは、前記係合凸部が前記固定部材に設けられ、前記係合凹部が前記戸当り本体に設けられたことを特徴とする。
このような構成では、床または壁に固定される固定部材に係合凸部を設け、戸当り本体に係合凹部を設けることにより、係合凸部が設けられた部分以外の固定部材の厚さ寸法を小さくでき、戸当り本体を外した状態において、固定部材の床や壁からの出張りを小さくし、より邪魔にならないようにできる。また、ごみやほこりが溜まりやすい床側や壁側に係合孔を設けないので、係合孔にごみやほこりが溜まって戸当り本体の着脱が困難になる不具合を回避できる。
【００１５】
【発明の実施の形態】
以下、本発明の各実施形態を図面に基づいて説明する。なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１６】
〔第１実施形態〕
図１ないし図３に、第１実施形態に係る戸当り１０を示す。図１は、戸当り１０の構成を示す分解斜視図であり、図２は、戸当り１０の取付方法を示す斜視図であり、図３は、戸当り１０の取付状態を示す縦断面図である。
図１ないし図３において、戸当り１０は、建物等の床１に固定された固定部材１１と、この固定部材１１に着脱自在に取り付けられる戸当り本体２０と、固定部材１１に取り付けられた弾性部としての波形座金１５とを備えて構成されている。
戸当り１０は、図示しない扉の開き過ぎにより、扉に付属するハンドルやドアノブ等の突出物が壁２に当たって、この壁２が損傷を受けることを防止するために、扉の開動作の範囲を制限するものであって、この戸当り１０に図１中下方右側から扉が当接することで、その当接した位置を超えて扉が壁２の側へ行き過ぎないようになっている。
【００１７】
固定部材１１は、角が丸められた略三角形状の金属製板材からなり、１つの角を壁２に向け、この角と対向する辺を壁２に略平行にして、３つの角の近辺にそれぞれ設けられたビス孔１９を挿通するビス１８によって床１の表面に固定されている。固定部材１１の上面には、係合凸部としての２つの係合ピン１２が壁２と交差する方向に並べて突設されている。なお、係合ピン１２を壁２と平行になるように並べて突設してもよい。
係合ピン１２は、固定部材１１の上面から上方に突出する突出部としての幹部１２Ａと、この幹部１２Ａの上端に一体的に形成され、幹部１２Ａよりも水平投影面積の大きい頭部１２Ｂとを有している。すなわち、係合ピン１２は、略円柱状の幹部１２Ａと、この幹部１２Ａよりも径の大きな略円板状の頭部１２Ｂとから縦方向の断面略Ｔ字形に形成されている。
なお、係合ピン１２の高さ寸法は、本実施形態において固定部材１１の上面から１０ｍｍ以下に設定されている。
【００１８】
弾性部としての波形座金１５は、リング状の座金の円周に沿って波形に形成されたもので、２つの係合ピン１２それぞれの幹部１２Ａが挿通されて固定部材１１に取り付けられている。また、波形座金１５は、その内径が係合ピン１２の頭部１２Ｂよりも小さくなっており、頭部１２Ｂに引っ掛かるため、係合ピン１２から外れないようになっている。
なお、弾性部としては、波形座金１５に限らず、皿ばねやコイル状のばね座金等の弾性部材が採用できる。また、このような別体の弾性部材を取り付けるものに限らず、固定部材１１の一部を切り起こす等の方法により弾性部を形成してもよい。
【００１９】
戸当り本体２０は、固定部材１１と略同形状の金属製板材からなるベース２１と、このベース２１の上に固定される戸当り部材２５とを備えて構成されている。この戸当り本体２０において、扉が当接する側、すなわち、戸当り本体２０を固定部材１１に取り付けた状態で壁２の反対側となる側面が当接側面２０Ａとされている。
ベース２１は、固定部材１１の係合ピン１２と対応する位置に２つの係合孔２２を有し、また３つの角の近辺には、ねじ孔２３が設けられている。
ベース２１の係合孔２２の周辺部分は、図３に示すように、上面が上方に突出し、下面には波形座金１５が収まる凹みを形成するようにプレス加工されている。従って、係合孔２２の周辺部分以外のベース２１下面は、固定部材１１の上面と隙間なく密着するようになっている。
【００２０】
係合孔２２は、ベース２１を貫通して設けられており、係合ピン１２の頭部１２Ｂを挿通可能な孔径を有した大孔部２２Ａと、係合ピン１２の幹部１２Ａを挿通可能で、かつ頭部１２Ｂを挿通不能な孔径を有した小孔部２２Ｂとが連続して形成されている。また、係合孔２２は、その小孔部２２Ｂを当接側面２０Ａに向けて配置されている。
なお、大孔部２２Ａから小孔部２２Ｂに向かう方向は、当接側面２０Ａに対して略直交して配置しているが、これに限らず、係合孔２２の大孔部２２Ａから小孔部２２Ｂに向かう方向が当接側面２０Ａに対して傾斜する傾斜角度を０度から９０度の範囲に設定できる。
【００２１】
戸当り部材２５は、固定部材１１およびベース２１と平面略同形状のフランジ部２５Ａと、このフランジ部２５Ａから立ち上がる柱部２５Ｂとが一体に形成された、合成樹脂製の部材である。そして、戸当り部材２５は、フランジ部２５Ａの３つの角の近辺にそれぞれ設けられた挿通孔２９を挿通するねじ２８によってベース２１に固定されている。
なお、戸当り部材２５をベース２１に固定する方法は、ねじ止めに限らず、かしめや、嵌め込み、接着等の固定方法を採用できる。
【００２２】
戸当り部材２５の柱部２５Ｂの上端には、扉が当接する当接部材２６が当接側面２０Ａから突出して固定され、この当接部材２６を貫通してリング２７が回動自在に取り付けられている。
当接部材２６は、扉が当接する際の衝撃を緩和するための緩衝材としての機能を有するものであり、ゴムや合成樹脂等の弾性材料から形成されている。
リング２７は、金属製の棒材から曲げ加工により形成された、略環状の部材であって、このリング２７を扉側に回動し、扉に固定された図示しないフックに係止することにより、扉を開放状態位置に固定することができ、すなわち、戸当り１０がドアストッパーとして利用できる。
なお、戸当り１０をドアストッパーとして機能させるためには、戸当り１０にリング２７を取り付けることに限らず、戸当り１０にフックを取り付け、扉にリング状部材を取り付けることでもよい。
【００２３】
以上の構成を備える本実施形態の戸当り１０の取付方法について、以下に説明する。
先ず、床１に固定部材１１をビス止め固定する。この際、戸当り本体２０の取り付け後に当接側面２０Ａが壁２の逆側である扉側に向くように、固定部材１１の方向を合わせて固定する。
次に、戸当り部材２５をベース２１にねじ止め固定した戸当り本体２０の当接側面２０Ａが扉側に向くように方向を合わせながら、係合孔２２に係合ピン１２を挿通する。この際、ベース２１の底面に当接する波形座金１５の弾性力に抗しながら、係合ピン１２の頭部１２Ｂを係合孔２２の大孔部２２Ａに挿通する。
最後に、戸当り本体２０を所定の方向としての壁２に向かう方向Ａにずらすことで、幹部１２Ａが小孔部２２Ｂに挿通され、頭部１２Ｂが小孔部２２Ｂの縁を係止することとなる。
【００２４】
以上により戸当り本体２０は、ベース２１の底面を上方に付勢する波形座金１５により頭部１２Ｂと小孔部２２Ｂの縁とが圧着された状態で、固定部材１１に取り付けられる。
また、戸当り本体２０を壁２から離れる方向にずらし、すなわち、係合ピン１２を係合孔２２の小孔部２２Ｂから大孔部２２Ａに移動し、頭部１２Ｂを大孔部２２Ａから外すことで、戸当り本体２０を固定部材１１から取り外すことができる。
【００２５】
このような本実施形態によれば、次のような効果がある。
（１）　戸当り１０を固定部材１１および戸当り本体２０から構成し、床１に固定した固定部材１１に戸当り本体２０を着脱自在に取り付け可能としたことにより、掃除の際に必要に応じて容易に取り外すことができ、戸当り１０が邪魔にならず、戸当り１０の周辺まできれいに掃除することができる。
【００２６】
（２）　戸当り１０を固定部材１１および戸当り本体２０に、互いに係合する係合ピン１２および係合孔２２を設けるだけの単純な構造としたことにより、床１に孔や凹みを設ける必要がなく、取付施工や交換の作業が容易にできる。
【００２７】
（３）　係合ピン１２の頭部１２Ｂが係合孔２２の小孔部２２Ｂの縁を係止することにより、係合ピン１２の高さ寸法を１０ｍｍ以下と小さくしても係合状態を維持できるので、固定部材１１が邪魔にならず、固定部材１１を床１の任意の位置に取り付けられ、取付位置の自由度が高くできる。また、戸当り本体２０が固定部材１１から不用意に外れることがないので、戸当り１０の機能が損なわれることなく、扉の開き過ぎを防止できる。
【００２８】
（４）　係合孔２２の大孔部２２Ａから小孔部２２Ｂに向かう方向が当接側面２０Ａに対して傾斜する傾斜角度を０度から９０度の範囲に設定し、係合ピン１２の頭部１２Ｂが小孔部２２Ｂの縁を係止することにより、壁２から離れる方向以外の方向への戸当り本体２０の移動が規制されるので、戸当り１０に扉が当接しても、戸当り本体２０が固定部材１１から不用意に外れないようにできる。
【００２９】
（５）　係合ピン１２の頭部１２Ｂと係合孔２２の小孔部２２Ｂの縁とを圧着させる波形座金１５を備えることにより、戸当り本体２０と固定部材１１とのがたつきやずれを防止して、両者の取付状態を良好に維持できる。
【００３０】
（６）　床１に固定される固定部材１１に係合ピン１２を設けることにより、係合ピン１２の部分以外の固定部材１１の厚さ寸法を小さくでき、戸当り本体２０を外した状態において、固定部材１１の床１からの出張りを小さく邪魔にならないようにできる。また、ごみやほこりが溜まりやすい床側に係合孔２２を設けないので、ごみやほこりによる戸当り本体２０の着脱が困難になる不具合を回避できる。
【００３１】
（７）　係合ピン１２および係合孔２２をそれぞれ２つずつ設けることにより、戸当り本体２０を固定部材１１に取り付けた状態での係合ピン１２を中心とする戸当り本体２０の回転を防止できる。
【００３２】
〔第２実施形態〕
図４は、第２実施形態に係る戸当り３０を示す斜視図である。
第２実施形態に係る戸当り３０は、係合凸部および係合凹部の構成が、前述の第１実施形態の場合と異なるもので、その他の構成および取付方法は第１実施形態と同様である。従って、第１実施形態と異なる構成要件について、以下に説明する。
【００３３】
図４において、戸当り３０は、建物等の床１に固定される固定部材３１と、この固定部材３１に着脱自在に取り付けられる戸当り本体３５とを備えて構成されている。
戸当り本体３５は、金属製の板材からなるベース３６と、このベース３６の上に固定される戸当り部材２５とを備えて構成されている。この戸当り本体３５において、扉が当接する側が当接側面３５Ａとされている。また、戸当り部材２５は、前述の第１実施形態と同様の部材である。
ベース３６には、２つの平面略矩形状の係合孔３７が設けられている。
【００３４】
固定部材３１は、金属製の板材から形成され、その上面の係合孔３７と対応する位置には、係合凸部としての２つの係合爪３２が切り起こしにより形成されている。
係合爪３２は、固定部材３１の上面から上方に切り起こされた突出部３２Ａと、この突出部３２Ａの上端から略水平方向に延びる突片３２Ｂとを有している。この突片３２Ｂと固定部材３１の上面との間隔は、ベース３６の板材の厚さ寸法より若干小さくされ、突片３２Ｂの先端側は上方に曲げ上げられている。
【００３５】
以上の構成を備える本実施形態における戸当り３０の取付方法は、前述の第１実施形態の場合とほぼ同様であるが、異なる点についてのみ、以下に説明する。戸当り本体３５の当接側面３５Ａの方向を合わせながら、床１に固定された固定部材３１の係合爪３２に係合孔３７を挿通する。そして、係合爪３２の突片３２Ｂを係合孔３７の縁で上方に押し上げながら、戸当り本体３５を壁２に向かう方向Ａにずらすことで、突片３２Ｂが係合孔３７の縁を係止し、係合爪３２の弾性によってベース３６が固定部材３１に向かって押圧されることとなる。
【００３６】
このような本実施形態によれば、前述の（１）の効果に加えて、次のような効果がある。
（８）　戸当り３０を固定部材３１および戸当り本体３５に、互いに係合する係合爪３２および係合孔３７を設けるだけの単純な構造としたことにより、床１に孔や凹みを設ける必要がなく、取付施工や交換の作業が容易にできる。
【００３７】
（９）　係合爪３２の突片３２Ｂが係合孔３７の縁を係止することにより、係合爪３２の高さ寸法が小さくても係合状態を維持できるので、固定部材３１が邪魔にならず、固定部材３１を床１の任意の位置に取り付けられ、取付位置の自由度が高くできる。
【００３８】
（１０）　係合爪３２の弾性によってベース３６が固定部材３１に向かって押圧されることにより、戸当り本体３５の取付状態が維持され、固定部材３１から不用意に外れることがないので、戸当り３０の機能が損なわれることなく、安定して扉の開き過ぎを防止できる。さらに、別途弾性部を設けなくても、戸当り本体３５と固定部材３１とのがたつきやずれを防止して、両者の取付状態を良好に維持でき、部品点数や加工工数の削減を図ることができる。
【００３９】
（１１）　床１に固定される固定部材３１に係合爪３２を設けることにより、係合爪３２の部分以外の固定部材３１の厚さ寸法を小さくでき、戸当り本体３５を外した状態において、固定部材３１の床１からの出張りを小さく邪魔にならないようにできる。また、ごみやほこりが溜まりやすい床側に係合孔３７を設けないので、ごみやほこりによる戸当り本体３５の着脱が困難になる不具合を回避できる。
【００４０】
（１２）　係合爪３２および係合孔３７をそれぞれ２つずつ設けることにより、戸当り本体３５を固定部材３１に取り付けた状態での戸当り本体３５の回転を防止できる。
【００４１】
〔第３実施形態〕
図５は、第３実施形態に係る戸当り４０を示す斜視図である。
第３実施形態に係る戸当り４０は、係合凸部および係合凹部の構成が、前述の第１実施形態の場合と異なるもので、その他の構成は第１実施形態と同様である。従って、第１実施形態と異なる構成要件について、以下に説明する。
【００４２】
図５において、戸当り４０は、建物等の床１に固定される固定部材４１と、この固定部材４１に着脱自在に取り付けられる戸当り本体４５と、固定部材４１に取り付けられた弾性部としての波形座金１５とを備えて構成されている。
固定部材４１の上面には、第１実施形態と同様の係合凸部としての２つの係合ピン１２が壁２と略平行な方向に並べて突設されている。
【００４３】
戸当り本体４５は、金属製の板材からなるベース４６と、このベース４６の上に固定される戸当り部材２５とを備えて構成されている。この戸当り本体４５において、扉が当接する側が当接側面４５Ａとされている。また、戸当り部材２５は、前述の第１実施形態と同様の部材である。
ベース４６には、２つの係合孔４７が設けられている。これらの係合孔４７は、係合ピン１２の間隔を直径とする円周に沿って設けられ、係合ピン１２の頭部１２Ｂを挿通可能な大孔部４７Ａと、この大孔部４７Ａに連続する細長状の小孔部４７Ｂとを備えている。
【００４４】
以上の構成を備える本実施形態における戸当り４０の取付方法は、前述の第１実施形態の場合とほぼ同様であるが、異なる点についてのみ、以下に説明する。床１に固定された固定部材４１の係合ピン１２に係合孔４７の大孔部４７Ａを挿通する。そして、戸当り本体４５の当接側面４５Ａが扉の側になるように、戸当り本体４５を回転方向Ｂに回すことで、係合ピン１２の頭部１２Ｂが係合孔４７の小孔部４７Ｂの側に移動し、小孔部４７Ｂの縁を係止することとなる。
【００４５】
このような本実施形態によれば、前述の（１）〜（３）、（５）、（６）の効果に加えて、次のような効果がある。
（１３）　戸当り本体４５を回転方向Ｂに回転させて、係合孔４７の小孔部４７Ｂに係合ピン１２を挿通し、頭部１２Ｂで小孔部４７Ｂの縁を係止することにより、戸当り４０に扉が当接するような直線的な力の作用では、その当接方向に戸当り本体４５が移動せず、固定部材４１から不用意に外れることを防止できる。
【００４６】
なお、本発明を実施するための最良の構成、方法などは、以上の記載で開示されているが、本発明は、これに限定されるものではない。
すなわち、本発明は、主に特定の実施の形態に関して特に図示され、かつ、説明されているが、以上述べた実施の形態に対し、本発明の技術的思想および目的の範囲から逸脱することなく、形状、材質、数量、その他の詳細な構成において、当業者が様々な変形を加えることができる。
また、本発明に係る戸当り１０，３０，４０を形成するための固定部材１１，３１，４１や戸当り本体２０，３５，４５の形状や材質は、その実施にあたって任意に決められてよく、前記各実施形態で説明した形状や材質に限定されない。
【００４７】
また、前述の各実施形態では、固定部材１１，３１，４１を床１に固定したが、これに限らず、壁２に固定することができる。その際、戸当り本体２０，３５，４５の取り付けに当たって、係合凸部と係合凹部とを互いにずらす方向としては、戸当り本体の自重により作用する力の方向、すなわち、下方に向かって戸当り本体をずらしながら取り付ける構成とすることが望ましい。
このように構成することにより、戸当たり本体が固定部材から不用意に外れることを防止し、両者の取付状態を良好にできる。
【００４８】
また、前述の各実施形態では、係合凸部および係合凹部をそれぞれ２つずつ設けることにより、戸当り本体２０，３５，４５の回転を防止できたが、これに限らず、係合凸部および係合凹部をそれぞれ１つずつとすることができる。係合凸部および係合凹部をそれぞれ１つずつとした戸当りとして、例えば、図６および図７に示すような構造を採用することができる。
図６および図７は、本発明の変形例に係る戸当り５０，６０の構造を示す斜視図である。
【００４９】
図６において、戸当り５０は、建物等の床等に固定される固定部材５１と、この固定部材５１に着脱自在に取り付けられる戸当り本体５５と、固定部材５１に取り付けられた弾性部としての波形座金１５とを備えて構成されている。
固定部材５１の上面には、前述の第１実施形態と同様の係合凸部としての係合ピン１２が１つ突設され、この係合ピン１２に隣接して突起部５２が設けられている。この突起部５２は、固定部材５１を形成する板材を切り起こして形成されたもので、係合ピン１２と略同一の高さ寸法とされている。
【００５０】
戸当り本体５５を構成するベース５６には、前述の第１実施形態と同様の係合凹部としての係合孔２２と、突起部５２を挿通可能な挿通孔５７とが設けられている。挿通孔５７は、突起部５２と略同一の幅寸法を有した略矩形状に形成されている。
このような戸当り５０の取付方法は、前述の第１実施形態と同様であり、係合ピン１２を係合孔２２に挿通した状態で、戸当り本体５５を方向Ａにずらすことで、係合ピン１２の頭部１２Ｂが係合孔２２の小孔部２２Ｂの縁を係止する。この際、突起部５２が挿通孔５７に挿通された状態で、挿通孔５７の中を移動することとなる。
従って、突起部５２が挿通孔５７に挿通されていることにより、戸当り本体５５の係合ピン１２を中心とした回転移動を規制することができる。
【００５１】
図７において、戸当り６０は、建物等の床等に固定される固定部材６１と、この固定部材６１に着脱自在に取り付けられる戸当り本体６５と、固定部材６１に取り付けられた弾性部としての波形座金６３とを備えて構成されている。
固定部材６１の上面には、係合凸部としての係合ピン６２が１つ突設されている。この係合ピン６２は、断面矩形状の突出部としての幹部６２Ａと、この幹部６２Ａの上端に一体に形成された平面矩形状の頭部６２Ｂとを有している。
波形座金６３は、係合ピン６２の幹部６２Ａに挿通可能な平面四角形環状の座金であり、各辺に沿って上下方向に屈折した波形に形成されている。なお、波形座金６３は、前述の第１実施形態の場合と同様に丸形リング状であってもよい。
【００５２】
戸当り本体６５を構成するベース６６には、係合凹部としての係合孔６７が１つ設けられている。係合孔６７は、係合ピン６２の頭部６２Ｂを挿通可能な平面矩形状の大孔部６７Ａと、係合ピン６２の幹部６２Ａを挿通可能で、かつ頭部６２Ｂを挿通不能な幅寸法を有した平面矩形状の小孔部６７Ｂとが連続して、平面凸字状に形成されている。
このような戸当り６０の取付方法は、前述の第１実施形態と同様であり、係合ピン６２を係合孔６７に挿通した状態で、戸当り本体６５を方向Ａにずらすことで、係合ピン６２の頭部６２Ｂが係合孔６７の小孔部６７Ｂの縁を係止する。
従って、係合ピン６２の幹部６２Ａが係合孔６７の小孔部６７Ｂの側面に当接することにより、戸当り本体６５の係合ピン６２を中心とした回転移動を規制することができる。
【００５３】
また、前述の各実施形態では、戸当り本体２０，３５，４５はベース２１，３６，４６を有し、このベース２１，３６，４６に係合孔２２，３７，４７を設けたが、これに限らず、ベースを省略し戸当り部材に係合孔を設けることができる。戸当り部材に係合孔を設けた戸当りとして、例えば、図８に示すような構造を採用することができる。
図８は、本発明の変形例に係る戸当り７０の構造を示す斜視図である。
図８において、戸当り７０は、建物等の床等に固定される固定部材７１と、この固定部材７１に着脱自在に取り付けられる戸当り本体としての戸当り部材７５とを備えて構成されている。
固定部材７１の上面には、係合凸部としての３つの係合ピン７２が突設されている。この係合ピン７２は、前述の第１実施形態と同様、突出部としての幹部７２Ａと、この幹部７２Ａの上端に一体に形成された頭部７２Ｂとを有している。
【００５４】
戸当り部材７５は、固定部材７１と略同一形状のフランジ部７６を備えており、このフランジ部７６には、係合ピン７２と対応した位置に係合凹部としての係合孔７７が３つ設けられている。係合孔７７は、係合ピン７２の頭部７２Ｂを挿通可能な大孔部７７Ａと、係合ピン７２の幹部７２Ａを挿通可能で、かつ頭部７２Ｂを挿通不能な孔径を有した小孔部７７Ｂとが連続して形成されている。
このような戸当り７０の取付方法は、前述の第１実施形態と同様であり、係合ピン７２を係合孔７７に挿通した状態で、戸当り部材７５を方向Ａにずらすことで、係合ピン７２の頭部７２Ｂが係合孔７７の小孔部７７Ｂの縁を係止する。
従って、戸当り本体としてベースを省略したことにより、部品点数を削減し、コストを低減できる。
なお、本変形例では、波形座金等の弾性部が設けられておらず、本発明において、このように弾性部を設けない構成を採用することもできる。
【００５５】
また、前述の各実施形態では、固定部材１１，３１，４１に係合凸部を設け、戸当り本体２０，３５，４５に係合凹部を設けたが、これに限らず、固定部材に係合凹部を設け、戸当り本体に係合凸部を設けることができる。固定部材に係合凹部を設け、戸当り本体に係合凸部を設けた戸当りとして、例えば、図９に示すような構造を採用することができる。
図９は、本発明の変形例に係る戸当り８０の構造を示す斜視図である。
図９において、戸当り８０は、建物等の床等に固定される固定部材８１と、この固定部材８１に着脱自在に取り付けられる戸当り本体８５とを備えて構成されている。
固定部材８１は、金属板材から略三角形状に形成され、３つの角のうち、図示しない壁に向けて配置される１つの角以外の２つの角には、板厚方向中間部分から下側が凹んだ係合凹部８２が設けられている。
【００５６】
戸当り本体８５を構成するベース８６には、係合凹部８２と対応した位置に係合凸部８７が設けられている。この係合凸部８７は、ベース８６の外縁に沿って下方に突出する突出部８７Ａと、この突出部８７Ａの下端に設けられ係合凹部８２の凹みと略同形状の突片８７Ｂとを有している。
このような戸当り８０の取付方法は、戸当り本体８５の係合凸部８７と固定部材８１の係合凹部８２との位置を合わせた状態で、戸当り本体８５を方向Ａにずらすことで、係合凸部８７が係合凹部８２に係合する。
従って、固定部材８１の側面に凹みとしての係合凹部８２を設けることにより、固定部材８１の表面に突出する部材を設けなくても、戸当り本体８５の係合凸部８７と係合することができるので、床面から上方に突出する部材をさらに少なくできる。
【００５７】
また、前述の第１実施形態では、係合ピン１２の高さ寸法を固定部材１１の上面から１０ｍｍ以下に設定したが、これに限らず、固定部材に設けられる係合ピンの高さ寸法を固定部材の上面から５ｍｍ以下に設定することが望ましい。このようにすることで、床面から上方に突出する係合ピンの高さが抑えられ、掃除の際により邪魔にならず、掃除をしやすくできる。
また、係合凸部としての係合ピンは、前述の第１実施形態で示したような略円柱状の幹部と略円板状の頭部とを備えたピンを固定部材に取り付けたものに限らず、固定部材の一部を切り起こして、側面略Ｔ字形や逆Ｌ字形等に形成されたものであってもよい。
【００５８】
また、前述の第１実施形態では、係合孔２２の大孔部２２Ａから小孔部２２Ｂに向かう方向が当接側面２０Ａに対して傾斜する傾斜角度を０度から９０度の範囲に設定したが、係合孔２２の大孔部２２Ａから小孔部２２Ｂに向かう方向が当接側面２０Ａに対して傾斜する傾斜角度を４５度から９０度の範囲に設定することが望ましい。このような傾斜角度に設定することにより、戸当りに扉が当接する等の力が作用した際に、固定部材から戸当り本体がより外れにくくすることができる。
【００５９】
また、前述の各実施形態では、固定部材１１，３１，４１を床１にビス止めにより固定したが、これに限らず、床の内部に配置される金属製の下地材に溶接してもよく、また、接着剤や両面テープで床面に貼り付けてもよい。
また、前述の第１、第３実施形態では、固定部材１１，４１に弾性部としての波形座金１５を取り付けるものとしたが、これに限らず、弾性部を戸当り本体側に設けてもよく、また弾性部を設けなくてもよい。
また、前述の第２実施形態では、係合爪３２の弾性によってベース３６が固定部材３１に向かって押圧されるものとしたが、これに限らず、係合爪が弾性を有してしなくてもよい。
【００６０】
【発明の効果】
以上に述べたように、本発明の戸当りによれば、必要に応じて容易に取り外し可能、かつ、構造が単純にでき、施工および交換が容易で、取付位置の自由度が高くできるという効果がある。
【図面の簡単な説明】
【図１】本発明の第１実施形態に係る戸当りを示す分解斜視図である。
【図２】前記実施形態の戸当りを示す斜視図である。
【図３】前記実施形態の戸当りを示す断面図である。
【図４】本発明の第２実施形態に係る戸当りを示す斜視図である。
【図５】本発明の第３実施形態に係る戸当りを示す斜視図である。
【図６】本発明の変形例に係る戸当りを示す斜視図である。
【図７】前記変形例とは異なる本発明の変形例に係る戸当りを示す斜視図である。
【図８】前記変形例とは異なる本発明の変形例に係る戸当りを示す斜視図である。
【図９】前記変形例とは異なる本発明の変形例に係る戸当りを示す斜視図である。
【符号の説明】
１…床、２…壁、１１，３１，４１…固定部材、１２…係合凸部である係合ピン、１２Ａ…突出部である幹部、１２Ｂ…突片である頭部、１５…弾性部である波形座金、２０，３５，４５…戸当り本体、２２，３７，４７…係合凹部である係合孔、２２Ａ，４７Ａ…大孔部、２２Ｂ，４７Ｂ…小孔部、３２…係合凸部である係合爪、３２Ａ…突出部、３２Ｂ…突片。
【図１】
2004084366.tif 000003
【図２】
2004084366.tif 000004
【図３】
2004084366.tif 000005
【図４】
2004084366.tif 000006
【図５】
2004084366.tif 000007
【図６】
2004084366.tif 000008
【図７】
2004084366.tif 000009
【図８】
2004084366.tif 000010
【図９】
2004084366.tif 000011